(57)【要約】【課題】内部の気体の圧力変動による影響を低減させた電動機を提供する。【解決手段】回転子及び固定子を密封して支持するハウジング２０を備える電動機１０において、ハウジング２０外部に電動機内部接続室７０を設け、電動機内部接続室７０は、ハウジング２０内部との気体の圧力の差に応じて、ハウジング２０内部から電動機内部接続室７０内へ、又は電動機内部接続室７０内からハウジング２０内部への気体の移動の調整を行う気体移動調整部４０、５０を有する。電動機内部接続室７０は、ハウジング２０に取付けた断熱部材６０の上に設ける。【選択図】図１
2007189853.tif 000002
【特許請求の範囲】
【請求項１】
回転子及び固定子を密封して支持するハウジングを備える電動機において、
上記ハウジング外部に電動機内部接続室を設けており、該電動機内部接続室は、上記ハウジング内部との気体の圧力の差に応じて、ハウジング内部から電動機内部接続室内へ、又は電動機内部接続室内からハウジング内部への気体の移動の調整を行う気体移動調整部を有することを特徴とする電動機。
【請求項２】
請求項１記載の電動機において、
上記電動機内部接続室は、上記ハウジングに取付けた断熱部材の上に設けられたことを特徴とする電動機。
【請求項３】
請求項１又は２に記載の電動機において、
上記電動機内部接続室は、外周に放熱フィンを設けたことを特徴とする電動機。
【請求項４】
請求項１〜３のいずれか１項に記載の電動機において、
上記気体移動調整部を２つ設け、第１の気体移動調整部は、上記ハウジング内部から上記電動機内部接続室への気体の移動の調整を行い、第２の気体移動調整部は、上記電動機内部接続室から上記ハウジング内部への気体の移動の調整を行うことを特徴とする電動機。
【発明の詳細な説明】
【技術分野】
【０００１】
本発明は、電動機に関し、特に電動機内部の圧力変動による影響を低減させた電動機の技術に関する
【背景技術】
【０００２】
電動機にて電動機内部の空気の膨張、収縮した場合の圧力変動を、可変容積室や外部と流通する室を設けて圧力調整することの技術について、特許文献１、２に記載がある。
【特許文献１】特開２００５−２８９２１号公報
【特許文献２】特開２００４−３５０４５８号公報
【発明の開示】
【発明が解決しようとする課題】
【０００３】
上記などの従来技術も含め、密閉型の電動機では、温度上昇の後に冷えると、電動機内部が負圧になり、オイルシール部、端子箱取付部等の外部との空気の流入の生ずる部位から、水やギヤオイル、埃等を電動機内部に吸い込む等の問題が予想される。
【０００４】
これらについて、例えば特許文献１の技術では、可変容積室を設けているが、可変容積室は外部の形状が変化するため、電動機に固定することは難しいなどの問題があった。また、特許文献２の技術では、車両などにおける悪環境での使用は、密閉されていないので、信頼性が劣っていた。
【０００５】
本発明は、上述したこれらの問題を解決し、内部の圧力変動による影響を低減させた電動機を提供することを目的とする。
【課題を解決するための手段】
【０００６】
本発明は、上記課題等を解決するにあたり、電動機内部の圧力を調整することについて、着目する。そして、電動機の外部に電動機内部に接続される電動機内部接続室を設ける。電動機内部と電動機内部接続室との間には、気体移動調整部を設ける。このようにして、電動機内部と電動機内部接続室との間で、温度変化に伴う気体の移動を起こすようにすることで、電動機内部に水や埃が入るのを改善する。
【０００７】
また、電動機内部接続室は、容積変動をしないものとするので、電動機と同じ様に温度が変化すると内部の圧力も電動機内部と同じ様に変化することになる。この場合には、気体移動調整部を設けても、電動機内部と電動機内部接続室との間で、温度変化に伴う気体の移動を起こらないことなる。従って、電動機内部接続室が電動機と同じ様に温度が変化しないように、断熱する為に、電動機内部接続室を、断熱部材を介して、電動機に設けるようにする。
【０００８】
そして、温度上昇の影響を低減して、放熱性を向上させる為に、電動機内部接続室に放熱フィンを設けることとする。これらによって、電動機内部接続室の温度が電動機の温度の影響を受け難くなる。
【０００９】
更に、気体移動調整部を２つ設け、第１の気体移動調整部は、ハウジング内部から電動機内部接続室への気体の移動の調整を行い、第２の気体移動調整部は、電動機内部接続室からハウジング内部への気体の移動の調整を行う。
【発明の効果】
【００１０】
本発明によれば、内部の圧力変動による影響を低減させ、信頼性の向上した電動機を提供することができる。
【発明を実施するための最良の形態】
【００１１】
本発明実施するための最良の形態を説明する。
以下、本発明の電動機の実施例について、図面を用いて説明する。
【実施例】
【００１２】
実施例を説明する。図１は、本発明の第１の実施例を説明する側面図である。図１において、電動機１０は、回転軸を有する回転子の外側には、回転子を回転させる回転磁界を発生する固定子があり、これらの回転子、固定子（いずれも、図１では省略）は、ハウジング２０にて支持されている。
【００１３】
本実施例の電動機では、ハウジング２０の外側に電動機内部接続室３０を設ける。そして、この電動機内部接続室３０は、第１の気体移動調整部４０と第２の気体移動調整部５０とを介し、ハウジング２０内部との間で、気体、雰囲気の移動がなされるようにするものである。
【００１４】
ここで、第１の気体移動調整部４０は、電動機１０内部の圧力が電動機内部接続室３０の圧力よりも大きい場合に、ハウジング２０内部から電動機内部接続室３０に気体を移動させるように調整するものであり、例えば弁機構などからなる。従って、逆向きの電動機内部接続室３０からハウジング２０内部への気体の移動を許容しない。
【００１５】
これに対して、第２の気体移動調整部５０は、ハウジング２０内部の圧力が電動機内部接続室３０の圧力よりも小さい場合に、電動機内部接続室３０からハウジング２０内部に気体を移動させるように調整するものである。従って、逆向きのハウジング２０内部から電動機内部接続室３０への気体の移動を許容しない。
【００１６】
この第１の気体移動調整部４０、第２の気体移動調整部５０の気体の移動を許容する圧力差をそれぞれ予め設定しておくことで、当該設定された圧力差を超えた時に、ハウジング２０内部の圧力の上昇や低下を穏やかになるよう調整することが可能となる。
【００１７】
また、上記電動機内部接続室３０は、断熱部材６０を介して、ハウジング２０に設ける。これにより、ハウジング２０の温度が上昇しても、温度の伝達を受けないので、電動機内部接続室３０内部の温度上昇を防ぐことができる。また、電動機内部接続室３０には放熱フィン７０を設けており、放熱効果を高め、ハウジング２０から移動してきた気体の温度を低下させることができ、電動機内部接続室３０内部の温度上昇を防ぐことができる。
【００１８】
断熱部材６０や、放熱フィン７０によって、電動機内部接続室３０は、電動機１０の温度変化の影響を受け難くすることで、電動機１０内部と電動機内部接続室３０との間で、温度変化に伴う気体の移動を起こるようにする。
【００１９】
上記電動機内部接続室３０の容積は、電動機内部の気体容積の約０．７倍程度設けることで、温度変化による電動機内部の圧力変化を実用範囲に吸収可能との計算値が得られた。
【００２０】
上記実施例では、気体移動調整部を２つ設けるものとしたが、これに限定されるものではなく、１つの気体移動調整部に双方向性の特性を持たせても実施可能である。
【図面の簡単な説明】
【００２１】
【図１】本発明の実施例を説明する説明図。
【符号の説明】
【００２２】
１０  電動機
２０  ハウジング
３０  電動機内部接続室
４０  第１の気体移動調整部
５０  第２の気体移動調整部
６０  断熱部材
７０  フィン
【図１】
2007189853.tif 000003